(57)【要約】【課題】ハウジングの装着溝に嵌合される基部２の先端に装着時圧縮荷重が作用したときに圧縮変形するシールリップ３を設けるとともにシールリップ３の両側に着座安定用リップ４を設けてなるガスケット１において、装着状態において発生する反力を低く設定することが可能なガスケット１を提供する。【解決手段】着座安定用リップ４を、装着時圧縮荷重が作用したときに圧縮変形ではなく曲げ変形する形状とし、変形し易くする。シールリップ３の高さｈ１を着座安定用リップ４の高さｈ２よりも大きく設定し、高面圧かつ低反力を実現する。【選択図】図１
2007100825.tif 000002
【特許請求の範囲】
【請求項１】
ハウジングの装着溝に嵌合される基部（２）の先端に、装着時圧縮荷重が作用したときに圧縮変形するシールリップ（３）を設けるとともに、前記シールリップ（３）の両側に着座安定用リップ（４）を設けてなるガスケット（１）において、
前記着座安定用リップ（４）は、装着時圧縮荷重が作用したときに曲げ変形する形状を有することを特徴とするガスケット。
【請求項２】
請求項１のガスケットにおいて、
シールリップ（３）は、その高さｈ１を着座安定用リップ（４）の高さｈ２よりも大きく設定されていることを特徴とするガスケット。
【発明の詳細な説明】
【技術分野】
【０００１】
本発明は、密封装置の一種であるガスケットに係り、更に詳しくは、装着状態において発生する反力を低く設定することが可能なガスケットに関するものである。本発明のガスケットは例えば、自動車もしくはその補機の分野、一般産業機械の分野または家庭用電気機器の分野等において用いられる。
【背景技術】
【０００２】
従来から、図３に示すように、ハウジング２１の装着溝２２に嵌合される基部５２の先端にこの基部５２よりも幅広のシール部５３を一体成形するとともに、シール部５３のシール面５４に、シールリップ５５と、その両側に配置される着座安定用リップ５６とを設けたガスケットが知られている（特許文献１参照）。
【０００３】
一方、近年、シリンダヘッドカバー（カムカバー）やインテークマニホールド等の樹脂化が進んでおり、これら樹脂製のハウジングにゴム状弾性体製のガスケットを装着すると、ガスケットの圧縮により生じる反力によって樹脂ハウジングに変形が生じ、シール面に所定の面圧を発生させることができず、面圧の低下による漏れが生じるという不具合が発生しており、この不具合を回避すべく、高面圧が得られるとともに低反力のガスケットが要求されている。
【０００４】
しかしながら、上記従来のガスケット５１においては、シールリップ５５およびその両側に配置される着座安定用リップ５６よりなる三つのリップがいずれも装着時圧縮荷重が作用したときに圧縮変形する形状とされているために、変形したときに大きな反力が発生する。
【０００５】
【特許文献１】特開２００２−７１０２４号公報
【発明の開示】
【発明が解決しようとする課題】
【０００６】
本発明は以上の点に鑑みて、装着状態において発生する反力を低く設定することが可能なガスケットを提供することを目的とする。
【課題を解決するための手段】
【０００７】
上記目的を達成するため、本発明の請求項１によるガスケットは、ハウジングの装着溝に嵌合される基部の先端に、装着時圧縮荷重が作用したときに圧縮変形するシールリップを設けるとともに、前記シールリップの両側に着座安定用リップを設けてなるガスケットにおいて、前記着座安定用リップは、装着時圧縮荷重が作用したときに曲げ変形する形状を有することを特徴とする。
【０００８】
また、本発明の請求項２によるガスケットは、上記した請求項１のガスケットにおいて、シールリップは、その高さを着座安定用リップの高さよりも大きく設定されていることを特徴とする。
【０００９】
上記構成を備えた本発明の請求項１によるガスケットにおいては、着座安定用リップが装着時圧縮荷重が作用したときに圧縮変形するのではなく、曲げ変形する。圧縮変形と比較して曲げ変形は、リップが変形し易く、よって発生する反力を低減させることが可能である。
【００１０】
またこれに加えて、上記構成を備えた本発明の請求項２によるガスケットにおいては、シールリップの高さが着座安定用リップの高さよりも大きく設定されているために、比較的低く設定された着座安定用リップが低反力化を一層促進するとともに、比較的高く設定されたシールリップが高面圧を確保する。
【発明の効果】
【００１１】
本発明は、以下の効果を奏する。
【００１２】
すなわち、本発明の請求項１によるガスケットにおいては、着座安定用リップが装着時圧縮荷重が作用したときに圧縮変形するのではなく、曲げ変形することから、発生する反力を低く設定することが可能とされている。したがって、樹脂製のハウジングと組み合わせて使用しても樹脂ハウジングに変形を生じさせることがなく、所定の面圧を発生させることができ、よって面圧低下による漏れの発生を抑えることができる。
【００１３】
またこれに加えて、本発明の請求項２によるガスケットにおいては、シールリップの高さが着座安定用リップの高さよりも大きく設定されているために、着座安定用リップにおいて低反力化が一層促進されるとともにシールリップにおいて高面圧が確保される。したがって、シールリップは高面圧でありながらも全体としては低反力のガスケットを提供することができる。
【発明を実施するための最良の形態】
【００１４】
本発明には、以下の実施形態が含まれる。
【００１５】
（１）断面略Ｔ字形であって、基部の相手材側にシールリップを設けたガスケット（カムカバー用ガスケット）において、
シールリップの両側にシール面圧を確保するためでなく、ガスケット圧縮時にシールリップを支持するためのリップ部を設け、
リップ部を形成するつば部の曲げ変形により低反力を実現することを特徴とするガスケット。
【００１６】
（２）断面略Ｔ字形であって、基部の相手材側にシールリップを設けたガスケットにおいて、
シールリップの両側にシール面圧を確保するためでなく、ガスケット圧縮時にシールリップを支持するためのリップ部を設け、
リップ部は、つば部の端部であり、
リップ部は、つば部の曲げ変形モードにより変形し、
シールリップの高さは、リップ部の高さより大きいことを特徴とするガスケット。
【００１７】
（３）シールリップおよびリップ部を上記（1）または（２）の構成にすることにより、高面圧が得られ、かつ低反力であって、シールリップが破損しないガスケットが得られる。
【００１８】
すなわち、高面圧については、ガスケット圧縮の際にシールリップが面圧を発生させることから、高面圧が確保される。低反力については、ガスケット圧縮の際にリップ部を有するつば部が曲げ変形によりシールリップを支持するため、圧縮変形モードの着座安定用リップに対し、同一つぶし代としても、発生する反力は小さくなる。シールリップ破損の防止については、ガスケット圧縮の際にリップ部がシールリップを支持するため、シールリップが座屈することなく圧縮されることから破損が防止される。
【００１９】
つぎに本発明の実施例を図面にしたがって説明する。
【００２０】
図１は、本発明の実施例に係るガスケット１の要部断面を示している。
【００２１】
当該実施例に係るガスケット１は、シリンダヘッドカバー（カムカバー）、インテークマニホールドまたはスロットル等において、互いに対向する二部材（いずれも図示せず、例えばシリンダヘッドおよびシリンダヘッドカバー）のうちの一方の部材に設けた装着溝に装着されて他方の部材に密接することにより二部材間をシールするものであって、以下のように構成されている。
【００２２】
すなわち、当該ガスケット１は、所定のゴム状弾性体によってエンドレス状に成形されており、上記シリンダヘッドカバー等の周縁部平面形状に沿った平面レイアウトに成形されている（この平面レイアウトに沿ってエンドレス状に成形されている）。
【００２３】
図１に示すように、当該ガスケット１は、装着溝に嵌合される基部２の先端にシールリップ３を設けるとともに、このシールリップ３の両側に着座安定用リップ４を対称的に設けたものである。
【００２４】
このうち、シールリップ３は、相手部材に密接して接触面圧（シール面圧）を確保し、もってシール作用をなすシール目的で設けられたものであって、断面略三角形状に成形され、装着時圧縮荷重が作用したときに圧縮変形するように構成されている（図では上下方向に圧縮変形する）。
【００２５】
また、その両側の着座安定用リップ４は、接触面圧を確保するためではなくガスケット圧縮時にシールリップ３を支持してその着座姿勢を安定させるために設けられたものであって、基部２の側面２ａから斜め外方へ向けて突出するように形成され、つば部４ａとその先端のリップ端４ｂとを有し、装着時圧縮荷重が作用したときに曲げ変形するように構成されている（図では下方へ向けて曲げ変形する）。リップ４の側面４ｃは、当該ガスケット１全体の断面中心線Ｃと平行ないし略平行に形成されている。
【００２６】
また、図示する装着前の自由状態において、シールリップ３の高さ寸法ｈ１は着座安定用リップ４の高さ寸法（シールリップ３底部よりの高さ寸法）ｈ２よりも大きく設定されている（ｈ１＞ｈ２）。
【００２７】
上記したように、着座安定用リップ４は、装着時圧縮荷重が作用したときに圧縮変形するのではなく曲げ変形することから、発生する反力を低く設定することが可能とされている。したがって、当該ガスケット１を樹脂製ハウジングと組み合わせて使用しても樹脂製ハウジングに変形を生じさせることがなく、所定のシール面圧を発生させることができ、よって面圧低下による漏れの発生を抑えることができる。
【００２８】
また、シールリップ３の高さ寸法ｈ１が着座安定用リップ４の高さ寸法ｈ２よりも大きく設定されているために、着座安定用リップ４において低反力化が一層促進されるとともに、シールリップ３において高面圧が確保される。したがって、シールリップ３は高面圧でありながらも、全体としては低反力のガスケット１が構成されることになる。
【００２９】
尚、上記実施例では、着座安定用リップ４の先端リップ端４ｂを尖端状に形成したが、図２に示すように、このリップ端４ｂを断面円弧状に形成し、すなわちこのリップ端４ｂの断面に丸みを持たせるようにしても良い。図では、リップ端４ｂに環状の凸部４ｄが設けられ、この凸部４ｄの先端が断面円弧状に形成されている。そして、このように着座安定用リップ４のリップ端４ｂを断面円弧状に形成し、すなわちこのリップ端４ｂの断面に丸みを持たせることにより、着座安定用リップ４の支持作用が得られ易くなり、着座安定用リップ４は着座安定作用を奏し易くなる。
【図面の簡単な説明】
【００３０】
【図１】本発明の実施例に係るガスケットの要部断面図（端面図）
【図２】本発明の他の実施例に係るガスケットの要部断面図（端面図）
【図３】従来例に係るガスケットの要部断面図（端面図）
【符号の説明】
【００３１】
１  ガスケット
２  基部
２ａ  基部側面
３  シールリップ
４  着座安定用リップ
４ａ  つば部
４ｂ  リップ端
４ｃ  リップ側面
４ｄ  凸部
【図１】
2007100825.tif 000003
【図２】
2007100825.tif 000004
【図３】
2007100825.tif 000005